(57)【特許請求の範囲】
【請求項１】
心出し装置フレームに回転自在に設置された保持軸と、
前記保持軸の先端で光学部品を保持固定する保持具と、
前記保持具に保持固定された前記光学部品の光軸と前記保持軸の回転軸との偏心状態を測定する偏心測定部と、
前記保持具を前記保持軸の前記回転軸に対して直交する方向および傾き方向に移動可能とする位置調整部と、
前記偏心測定部により測定された偏心状態に基づいて前記保持具の位置調整量を算出する演算処理部と、
前記心出し装置フレームに前記保持軸を介することなく設置され、前記演算処理部により算出された前記位置調整量に基づき、接触動作により前記位置調整部を駆動する駆動部と、
を備えることを特徴とする心出し装置。
【請求項２】
請求項１に記載の心出し装置において、
前記駆動部は、前記位置調整部の駆動と前記保持軸の回転とが時間的に一致するように、前記位置調整部を駆動することを特徴とする心出し装置。
【請求項３】
請求項１に記載の心出し装置において、
前記保持軸の回転を止めた後で前記駆動部を動作させ、ふたたび前記保持軸の回転を再開させることを特徴とする心出し装置。
【請求項４】
請求項１〜３のいずれか１項に記載の心出し装置であって、前記光学部品をレンズとする心出し装置と、
前記レンズを研削可能な研削工具と、
前記レンズと前記研削工具とを相対的に動かす移動部と、
を備えることを特徴とするレンズ心取り装置。
【請求項５】
請求項１〜３のいずれか１項に記載の心出し装置であって、前記光学部品を鏡枠に固定されたレンズとする心出し装置と、
前記鏡枠の外周部を切削可能な切削工具と、
前記鏡枠と前記切削工具とを相対的に動かす移動部と、
を備えることを特徴とする枠切削装置。
【請求項６】
心出し装置フレームに回転自在に設置された保持軸の先端の保持具に保持固定された光学部品の光軸と前記保持軸の回転軸との偏心状態を測定する偏心測定ステップと、
前記偏心測定ステップで測定された偏心状態に基づいて、位置調整部により前記保持軸の前記回転軸に対して直交する方向および傾き方向に移動可能とされた前記保持具の位置調整量を算出する演算処理ステップと、
前記演算処理ステップにより算出された前記位置調整量に基づいて、前記位置調整部の駆動と前記保持軸の回転とが時間的に一致するように、前記心出し装置フレームに前記保持軸を介することなく設置された駆動部による接触動作により前記位置調整部を駆動して、前記保持具を前記保持軸の前記回転軸に対して直交する方向および傾き方向のうちの少なくとも一方に移動させる位置調整ステップと、
を含むことを特徴とする心出し方法。
【請求項７】
心出し装置フレームに回転自在に設置された保持軸の先端の保持具に保持固定された光学部品の光軸と前記保持軸の回転軸との偏心状態を測定する偏心測定ステップと、
前記偏心測定ステップで測定された偏心状態に基づいて、位置調整部により前記保持軸の前記回転軸に対して直交する方向および傾き方向に移動可能とされた前記保持具の位置調整量を算出する演算処理ステップと、
前記保持軸の回転を止めた後、前記演算処理ステップにより算出された前記位置調整量に基づいて、前記心出し装置フレームに前記保持軸を介することなく設置された駆動部による接触動作により前記位置調整部を駆動して、前記保持具を前記保持軸の前記回転軸に対して直交する方向および傾き方向のうちの少なくとも一方に移動させて位置調整を行い、その後ふたたび前記保持軸の回転を再開させる位置調整ステップと、
を含むことを特徴とする心出し方法。
【請求項８】
請求項６または７に記載の心出し方法により前記光学部品であるレンズを心出しする心出しステップと、
心出しした前記レンズの外周部を研削する研削ステップと、
を含むことを特徴とするレンズ心取り方法。
【請求項９】
請求項６または７に記載の心出し方法により、鏡枠に固定された前記光学部品であるレンズを心出しする心出しステップと、
心出しした前記レンズの前記鏡枠の外周部を切削するステップと、
を含むことを特徴とする枠切削方法。
【発明の詳細な説明】
【技術分野】
【０００１】
本発明は、光学部品加工における心出し方法、心出し装置、レンズ心取り方法、レンズ心取り装置、枠切削方法および枠切削装置に関する。
【背景技術】
【０００２】
従来、レンズ加工における心取り工程で使用される心取り機は、心取りに先だって行われる心出し方法によって大別される。心出し方法の一つは、レンズの一方側から照射された検査光を透過あるいは反射させてレンズで結像させ、この結像を接眼部で観察することによってレンズの偏心状態を検知するようにした光学式の心出し方法である。心出し方法の他の一つは、同一軸上に対向するようにして配置された２つのスピンドルの間にレンズを挟み込み、これら両スピンドルを互いに押しつけることによってレンズを所定位置に滑動させて心出し操作を行うベルクランプ式の心出し方法である。
【０００３】
光学式の心出し方法として、例えば特許文献１に記載の技術が知られている。図８に示した装置において、まず心取り加工しようとするレンズ９をレンズヤトイ７に図示せぬヤニ等の接着剤である程度心出しした状態で固定する。次に、偏心測定装置１０を使用してレンズ９の光軸とレンズ保持軸１の回転軸との偏心状態を測定する。演算処理装置１７によりレンズ保持軸１の回転軸とレンズ９の光軸との偏心状態、すなわちレンズ保持軸１の回転軸心に対する垂直方向の偏心量と傾き方向の偏心角を算出する。そして、その値に基づいて回転軸に対する垂直方向の位置調整はＸＹテーブル調整ネジ５を回動して行い、傾き方向の調整はレンズヤトイ調整ネジ８を回動することにより行う。
【０００４】
以上の心出し工程を自動化するために、とくに特許文献１には、ＸＹテーブル調整ネジ５およびレンズヤトイ調整ネジ８の代わりに圧電素子を用いてテーブルの位置調整を行う技術が記載されている。
【０００５】
心取り機はその後、図９に示すように、同一の機械に設けられた砥石７４が軸方向に前後運動しながらレンズ９の周面に接触し、外径を研削することで心取り加工を行う。
【先行技術文献】
【特許文献】
【０００６】
【特許文献１】特開平６−９９３３９号公報
【発明の概要】
【発明が解決しようとする課題】
【０００７】
しかしながら、特許文献１では、心出し工程を自動化するために、演算処理装置１７で偏心状態を算出した後に圧電素子を用いてテーブル３の位置調整を行っているため、圧電素子への電圧供給用配線がレンズ保持軸１の連続回転に伴ってレンズ保持軸１に巻きついてしまい回転の妨げとなる。
【０００８】
本発明は上記に鑑みてなされたものであって、保持軸の連続回転を妨げることなく光学部品の偏心調整が可能な心出し方法、心出し装置、レンズ心取り方法、レンズ心取り装置、枠切削方法および枠切削装置を提供することを目的とする。
【課題を解決するための手段】
【０００９】
上述した課題を解決し、目的を達成するために、本発明にかかる心出し装置は、心出し装置フレームに回転自在に設置された保持軸と、前記保持軸の先端で光学部品を保持固定する保持具と、前記保持具に保持固定された前記光学部品の光軸と前記保持軸の回転軸との偏心状態を測定する偏心測定部と、前記保持具を前記保持軸の前記回転軸に対して直交する方向および傾き方向に移動可能とする位置調整部と、前記偏心測定部により測定された偏心状態に基づいて前記保持具の位置調整量を算出する演算処理部と、前記心出し装置フレームに設置され、前記演算処理部により算出された前記位置調整量に基づいて前記位置調整部を駆動する駆動部と、を備えることを特徴とする。
【００１０】
また、本発明にかかる心出し装置は、上記の発明において、前記駆動部は、前記保持軸の回転に同期して前記位置調整部を駆動することを特徴とする。
【００１１】
また、本発明にかかるレンズ心取り装置は、上記の発明の心出し装置であって、前記光学部品をレンズとする心出し装置と、前記レンズを研削可能な研削工具と、前記レンズと前記研削工具とを相対的に動かす移動部と、を備えることを特徴とする。
【００１２】
また、本発明にかかる枠切削装置は、上記の発明の心出し装置であって、前記光学部品を鏡枠に固定されたレンズとする心出し装置と、前記鏡枠の外周部を切削可能な切削工具と、前記鏡枠と前記切削工具とを相対的に動かす移動部と、を備えることを特徴とする。
【００１３】
また、本発明にかかる心出し方法は、心出し装置フレームに回転自在に設置された保持軸の先端の保持具に保持固定された光学部品の光軸と前記保持軸の回転軸との偏心状態を測定する偏心測定ステップと、前記偏心測定ステップで測定された偏心状態に基づいて、位置調整部により前記保持軸の前記回転軸に対して直交する方向および傾き方向に移動可能とされた前記保持具の位置調整量を算出する演算処理ステップと、前記演算処理ステップにより算出された前記位置調整量に基づいて、前記保持軸の回転に同期して接触し動作するよう前記心出し装置フレームに設置された駆動部により前記位置調整部を駆動して、前記保持具を前記保持軸の前記回転軸に対して直交する方向および傾き方向のうちの少なくとも一方に移動させる位置調整ステップと、を含むことを特徴とする。
【００１４】
また、本発明にかかるレンズ心取り方法は、上記の発明の心出し方法により前記光学部品であるレンズを心出しする心出しステップと、心出しした前記レンズの外周部を研削する研削ステップと、を含むことを特徴とする。
【００１５】
また、本発明にかかる枠切削方法は、上記の発明の心出し方法により、鏡枠に固定された前記光学部品であるレンズを心出しする心出しステップと、心出しした前記レンズの前記鏡枠の外周部を切削するステップと、を含むことを特徴とする。
【発明の効果】
【００１６】
本発明によれば、光学式の心出しを自動で行い心取りを行う心取り装置や枠切削装置において、保持具を移動可能とする位置調整部を心出し装置フレームに設置された駆動部により駆動させることで保持軸の回転を妨げることなく光学部品であるレンズや鏡枠の偏心調整が可能となる。
【図面の簡単な説明】
【００１７】
【図１】図１は、本発明の実施の形態１にかかる心出し装置を含む心取り機の概略構成を示す斜視図である。
【図２】図２は、図１に示した心取り機の概略構成の断面を示す模式図である。
【図３】図３は、図２に示した偏心測定部の構成を示す模式図である。
【図４】図４は、図２に示した偏心測定部の動作を説明するための図である。
【図５】図５は、図２に示した偏心測定部の動作を説明するための図である。
【図６】図６は、図１に示した心取り機による心取り処理手順を示すフローチャートである。
【図７】図７は、本発明の実施の形態２にかかる心出し装置を含む枠切削機の概略構成を示す模式図である。
【図８】図８は、先行技術を説明するための図である。
【図９】図９は、先行技術を説明するための図である。
【発明を実施するための形態】
【００１８】
以下に、図面を参照して、本発明の実施の形態について説明する。なお、この実施の形態によりこの発明が限定されるものではない。
【００１９】
［実施の形態１］
本発明の実施の形態１について、図１〜図６を参照して説明する。図１は、本実施の形態１におけるレンズ固定後の状態を示す心取り機Ｍ１の概略構成を示す斜視図であり、図２はその概略構成の断面を示す模式図である。図１、図２に示すように、心取り機Ｍ１は、本発明の心出し装置の一例に相当する心出し装置２１と、心出し装置２１に保持された光学部品としてのレンズＬを研削可能な研削工具としての研削砥石３１とを有する。
【００２０】
心出し装置２１は、レンズＬを回転させてその偏心状態を測定し、測定した偏心状態を基にレンズＬを心出しするためのものである。心出し装置２１は、フレーム（心出し装置フレーム）Ｆに回転自在に保持されるスピンドル（保持軸）２２と、保持具２３と、位置調整部２４と、偏心測定部２５と、演算処理部２６と、駆動部２７とを有する。概略的に、保持具２３は、レンズＬを上端（先端）に保持する。位置調整部２４は、保持具２３を変位させる。偏心測定部２５は、レンズＬの偏心状態を検出する。演算処理部２６は、偏心測定部２５により測定された偏心状態に基づいて保持具２３の位置調整量を算出する。駆動部２７は、演算処理部２６の算出した位置調整量に基づいて位置調整部２４を駆動する。
【００２１】
これらの偏心測定部２５、演算処理部２６、駆動部２７と、スピンドル２２の回転を検出する回転検出部２８と、入力部Ｉ、出力部Ｏは、制御部Ｃに接続されている。制御部ＣはＣＰＵなどにより実現され、入力部Ｉはポインティングデバイスなどによって実現され、出力部Ｏはモニタなどによって実現される。
【００２２】
保持具２３は、柱状の保持具本体２３ａと、保持具本体２３ａよりも小径で保持具本体２３ａの上端に形成された柱状の先端部２３ｂとを有し、保持具本体２３ａが後述する位置調整部２４の上面に固定されている。保持具先端部２３ｂにはレンズＬの下面Ｌｂがヤニ等の接着剤によって固着されている。
【００２３】
位置調整部２４は、スピンドル２２の回転軸２２ａに対して直交する方向、すなわち水平方向（ＸＹ方向）に保持具２３を移動可能とする水平方向移動機構と、スピンドル２２の回転軸２２ａに直交する面（水平面）に対する傾き方向（αβ方向）に保持具２３を移動可能とする傾き方向移動機構とを含んで構成される。
【００２４】
水平方向移動機構は、Ｘ軸方向に平行移動自在なＸ軸方向テーブル２４ａと、Ｙ軸方向に平行自在なＹ軸方向テーブル２４ｂとを積層させて構成され、スピンドル２２の上部に固定されている。すなわち、ベース２４ｅの上にＸ軸方向の移動台とＹ軸方向の移動台とを積層させて構成され、ベース２４ｅに対して移動台の位置を変位させることにより保持具２３を水平方向に変位させる。
【００２５】
傾き方向移動機構は、α軸方向に移動（揺動）自在なα軸方向テーブル２４ｃと、β軸方向に移動（揺動）自在なβ軸方向テーブル２４ｄとを上下に積層させて構成され、水平方向移動機構のＹ軸方向テーブル２４ｂの上面に固定されている。これらα軸方向テーブル２４ｃとβ軸方向テーブル２４ｄの曲率揺動中心Ｏｓは、スピンドル２２の回転軸２２ａ上で一致するように配置されている。
【００２６】
なお、α軸方向テーブル２４ｃ、β軸方向テーブル２４ｄの各テーブルは、それぞれベース２４ｆの上に移動台を積層して構成され、ベース２４ｆに対して移動台の位置を変位させることにより保持具２３を揺動変位させる。
【００２７】
偏心測定部２５は、保持具２３およびレンズＬの上方に配置され、スピンドル２２の回転軸２２ａに対するレンズＬの両面Ｌａ，Ｌｂの偏心状態を測定するために用いられる。この偏心測定部２５は、図３に示すように、測定用光源２５１の他、ターゲット２５２、採光レンズ２５３、ハーフプリズム２５４、結像レンズ２５５、拡大レンズ２５６、テレビカメラ２５７を含んで構成される。
【００２８】
すなわち、測定用光源２５１から出射される光の光路上に、ターゲット２５２、採光レンズ２５３、ハーフプリズム２５４が順番に配置されている。測定用光源２５１からの光をターゲット２５２に照射することで得られるターゲット像を採光レンズ２５３に入射させ、ハーフプリズム２５４の反射によってレンズＬに入射させるようになっている。さらに、ハーフプリズム２５４の上方には、レンズＬで反射する光であって、ハーフプリズム２５４を透過する光を集光してターゲット像を結像させる結像レンズ２５５と、結像されるターゲット像を拡大する拡大レンズ２５６と、拡大して結像されるターゲット像を映すテレビカメラ２５７が配置されている。このテレビカメラ２５７で映された画像は、図示しない画像処理装置により画像処理され、レンズＬで反射したターゲット像を図示しないモニタに表示できるように構成されている。
【００２９】
また偏心測定部２５は、レンズＬの上面Ｌａあるいは下面Ｌｂと結像したターゲット像がモニタで観察できるように、スピンドル２２の回転軸２２ａの方向に移動可能に設置されている。
【００３０】
偏心測定部２５は、レンズＬの偏心状態、すなわちスピンドル２２の回転軸２２ａとレンズＬの光軸とのずれを、以下のようにして測定する。ここで、レンズＬの光軸は、レンズＬの両面Ｌａ，Ｌｂの曲率中心を結んだ線である。図４に示すように、レンズＬの上面Ｌａで反射したターゲット像を、図示しないモニタで観察できるようにしたあと、スピンドル２２を回転させると、ターゲット像は上面Ｌａの曲率中心の回転軸２２ａに対する横方向のずれ量ΔＸＹに比例した円弧を描くように回転する。
【００３１】
ここで、ターゲット像の回転ぶれを止めるようにレンズＬを水平方向にΔＸＹだけ移動させると、上面Ｌａの曲率中心が回転軸２２ａ上で一致する。
【００３２】
また、図５に示すように、上面Ｌａの曲率中心が回転軸２２ａ上に一致している場合に、レンズＬの下面Ｌｂで反射したターゲット像を、図示しないモニタで観察できるようにしたあと、スピンドル２２を回転させると、ターゲット像は下面Ｌｂの回転軸２２ａに対する傾き角θに比例した円弧を描くように回転する。
【００３３】
ここで、ターゲット像の回転ぶれを止めるようにレンズＬを傾き角θだけ揺動させると、下面Ｌｂの曲率中心が回転軸２２ａ上で一致する。
【００３４】
なお、このときに上面Ｌａの曲率中心は回転軸２２ａ上からずれるが、図４に示した状態よりは、光軸のずれは小さくなる。したがって、上記のように、上面Ｌａの曲率中心の位置の修正と、下面Ｌｂの曲率中心の位置の修正とを繰り返すことにより、レンズＬの光軸の傾きや横ずれ量は、無視できる程度に小さくすることができる。
【００３５】
演算処理部２６は、偏心測定部２５に接続され、偏心測定結果およびレンズの形状情報から保持具２３に固着保持されたレンズＬとスピンドル２２の回転軸２２ａとの偏心状態、すなわち、水平方向に対する横ずれ量と、スピンドル２２の回転軸２２ａに対して光軸のずれが生じている角度方向とを算出可能である。
【００３６】
駆動部２７は、制御部Ｃに接続され、演算処理部２６の偏心状態の算出結果に基づいて、位置調整部２４を駆動可能である。駆動部２７は、水平方向駆動装置２７ａと傾き方向駆動装置２７ｂとを含んで構成される。これら水平方向駆動装置２７ａおよび傾き方向駆動装置２７ｂは、心出し装置２１のフレームＦに設置され、スピンドル２２の回転に同期して位置調整部２４を外部から非連続的に叩くことにより、レンズＬを保持固定した保持具２３を所望の位置に移動させるまで位置調整部２４を駆動する。
【００３７】
この駆動部２７は、心出しする時（偏心調整時）以外には位置調整部２４と接触しないように退避した位置に配置され、駆動部２７につながる電気配線は制御部Ｃとのものだけである。
【００３８】
なお、位置調整部２４の内部には、各テーブル（２４ａ，２４ｂ，２４ｃ，２４ｄ）の移動台とベースとの相対的な動きを抑制可能な固定装置２９が内蔵されている。固定装置２９としては、たとえば、位置調整部２４の内部にポーラス２９ａを埋め込み、かつ、位置調整部２４の内部を連通するように真空管２９ｂを接続する。そして、真空管２９ｂを介して負圧をかけて全テーブルを互いに真空吸着させることにより固定することができる。真空管２９ａは、各テーブルが偏心調整量の想定範囲内で初期位置よりずれた際にも、空気通路を確保できる程度の太さをもつ管で構成する。
【００３９】
一方、上述の心出し装置２１とともに心取り機Ｍ１を構成する研削砥石３１は、移動部３２がスピンドル３１ａに締結され、制御部Ｃの制御により、レンズＬの外周部を研削できるようにレンズＬに対して相対的に移動可能に構成される。
【００４０】
次いで、図６に示すフローチャートを参照して、このような心取り機Ｍ１を用いて行われる制御部ＣによるレンズＬの心取り手順について説明する。まず心取りするレンズＬを保持具２３に図示しないヤニ等の接着剤である程度心出しした状態で固定する。また、固定装置２９による固定は解除した状態とする（ステップＳ１）。
【００４１】
ここで、図４に例示したように、保持具２３に固定されたレンズＬは、その光軸はスピンドル２２の回転軸２２ａに対して傾き、また保持具２３の位置により横方向にずれた状態になっている。あるいは、図５に例示したように、レンズＬの光軸はスピンドル２２の回転軸２２ａに対して傾いている。そこでまず、偏心測定部２５により偏心状態を測定する（ステップＳ２）。すなわち、レンズＬの上面Ｌａで反射したターゲット像を、図示しないモニタで観察できるようにしたあと、スピンドル２２を回転させるとターゲット像は上面Ｌａの回転軸２２ａに対する横方向のずれ量ΔＸＹに比例した円弧を描くように回転する。あるいは、レンズＬの下面Ｌｂで反射したターゲット像を、図示しないモニタで観察できるようにしたあと、スピンドル２２を回転させると、ターゲット像はレンズＬの下面Ｌｂの回転軸２２ａに対する傾き角θに比例した円弧を描くように回転する。
【００４２】
そして、得られた円弧の大きさおよびレンズＬの形状情報を基に演算処理部２６が保持具２３に保持されたレンズＬの横ずれ量ΔＸＹ（偏心量）を位置調整量として算出する（ステップＳ３）。あるいは、得られた円弧の大きさおよびレンズＬの形状情報を基に、再び演算処理部２６が保持具２３に保持されたレンズＬの光軸の傾き角θ（偏心量）を位置調整量として算出する（ステップＳ３）。
【００４３】
ここで、このような偏心があった場合（ステップＳ４のＹｅｓ）、その偏心が横ずれであれば（ステップＳ５のＹｅｓ）、制御部Ｃは、演算処理部２６によって算出された横ずれ量ΔＸＹに基づいて水平方向駆動装置２７ａを駆動させ、横ずれ量ΔＸＹだけ保持具２３を水平に移動させる（ステップＳ６）。すなわち、レンズＬの偏心状態に応じてスピンドル２２の回転と同期して水平方向駆動装置２７ａによって位置調整部２４を非連続的に叩くことで位置調整部２４の水平方向の位置調整を行う。保持具２３が所望の位置に移動完了すると駆動部２７の動作を停止させ、ステップＳ２に戻る。
【００４４】
そして、再び偏心測定部２５により偏心状態を測定し（ステップＳ２）、偏心があった場合（ステップＳ４のＹｅｓ）、その偏心が横ずれでなければ（ステップＳ５のＮｏ）制御部Ｃは、演算処理部２６によって算出された傾き角θに基づいて傾き方向駆動装置２７ｂを駆動させ、傾き角θだけ保持具２３を揺動させる（ステップＳ７）。すなわち、レンズＬの偏心状態に応じてスピンドル２２の回転と同期して傾き方向駆動装置２７ｂによって位置調整部２４を非連続的に叩くことで位置調整部２４の位置調整を行う。保持具２３が所望の位置に移動完了すると駆動部２７の動作を停止させ、ステップＳ２に戻る。
【００４５】
このようにして偏心状態を測定して位置調整部２４により保持具２３を変位させる処理を繰り返し、偏心がない状態にして（ステップＳ４のＮｏ）、心出しを完了させる。偏心がなくなった状態で、位置調整部２４の内部に配置された固定装置２９により各テーブルのベースと移動台との相対的な動きを抑制し、固定状態とする（ステップＳ８）。
【００４６】
なお、上述したステップＳ１〜ステップＳ８の処理が心出しステップに相当する。
【００４７】
その後、移動部３２により、高速回転させた研削砥石３１をレンズＬの外周部に接近させ押圧することにより、レンズＬの外周部を全周にわたってレンズＬが所望の外径形状になるまで研削加工を行う。これにより、レンズＬの心取りを完了させる（ステップＳ９）。
【００４８】
また、駆動部２７の動作は、スピンドル２２の回転と広義に同期させるようにしてもよい。すなわち、スピンドル２２の回転に関連づけて動作させることを含むものである。たとえば、スピンドル２２を１回転させて回転を止めた後に駆動部２７を動作させ、ふたたびスピンドル２２の回転を再開させる、という動作を含む。
【００４９】
この実施の形態１によれば、保持具２３に固着されたレンズＬの偏心状態を偏心測定部２５により測定し、その結果に基づいた位置調整部２４での位置調整量を演算処理部２６で算出し、偏心がなくなる位置まで外部の駆動部２７により位置調整部２４を調整することができ、光軸とスピンドル２２の回転軸２２ａとが一致したレンズＬの外周部を研削加工することで高精度な心取り加工を容易に行うことができる。この際、水平方向駆動装置２７ａおよび傾き方向駆動装置２７ｂを制御するための電気配線はスピンドル２２の回転に影響されないように配線されているため、スピンドル２２を連続的に回転しても電気配線がスピンドル２２に巻きつくことはない。
【００５０】
〔実施の形態２〕
つぎに、この発明の実施の形態２について説明する。図７は、この発明の実施の形態２におけるレンズＬを固着した鏡枠Ｗを固定した後の状態を示す枠切削機Ｍ２の概略構成図を示す断面図である。図７に示すように、枠切削機Ｍ２は、心出し装置２１および切削工具３３を有する。
【００５１】
この実施の形態２では実施の形態１におけるレンズＬに代えて、レンズＬを内部に固着した鏡枠Ｗの心出しを行うものである。また、研削砥石３１に代わって切削工具３３を鏡枠Ｗに対して相対的に移動可能に配置した。その他の点については、実施の形態１と同一であり、同一構成部分には同一符号を付している。
【００５２】
このような枠切削機Ｍ２を用いて行われる鏡枠Ｗの切削方法を説明する。まず枠切削する鏡枠Ｗを保持具２３にネジを介して固定保持する。この時、鏡枠Ｗの内部にはレンズＬが接着剤等によって固着されている。
【００５３】
次に鏡枠Ｗ内部のレンズＬの偏心状態を測定し、演算処理部２６により位置調整部２４の位置調整量を算出する。その後、駆動部２７により所望量だけ位置調整部２４を調整して心出しし、位置調整部２４の内部の固定装置２９により位置調整部２４を構成する各ステージの相対的な動きを抑制する。方法は実施の形態１と同じである。
【００５４】
その後、移動部３２を動作させることにより、切削工具３３を鏡枠Ｗの外周部に接近させ押圧し、スピンドル２２の軸方向に移動させることにより、鏡枠Ｗの外周部を所望の外径形状になるまで切削加工を行って、枠切削を完了させる。
【００５５】
この実施の形態２によれば、レンズＬの光軸をスピンドル２２の回転軸２２ａと一致させた状態でレンズＬが内部に固着保持された鏡枠Ｗの外周部を切削加工できるため、鏡枠Ｗの中心軸をレンズＬの光軸と一致するように鏡枠Ｗの外周部を切削加工することができ、光軸と鏡枠Ｗの中心軸とが一致した枠切削を高精度で容易に行うことができる。
【００５６】
この実施の形態２においても、水平方向駆動装置２７ａおよび傾き方向駆動装置２７ｂを制御するための電気配線はスピンドル２２の回転に影響されないように配線されているため、スピンドル２２を連続的に回転しても電気配線がスピンドル２２に巻きつくことはない。
【符号の説明】
【００５７】
２１  心出し装置
２２  保持軸
２３  保持具
２４  位置調整部
２５  偏心測定部
２６  演算処理部
２７  駆動部
３１  研削砥石
３２  移動部
３３  切削工具
Ｃ  制御部
Ｆ  フレーム
Ｌ  レンズ
Ｗ  鏡枠
【図１】
0005591025.tif 000002
【図２】
0005591025.tif 000003
【図３】
0005591025.tif 000004
【図４】
0005591025.tif 000005
【図５】
0005591025.tif 000006
【図６】
0005591025.tif 000007
【図７】
0005591025.tif 000008
【図８】
0005591025.tif 000009
【図９】
0005591025.tif 000010